(57)【要約】  【課題】  浴室と、同浴室に隣接する脱衣室とを同時に、且つ同等の室温に調整することができるようにし、その装置の設置工事に関する工数およびコストを低減することができるようにした空調装置を提供する。  【解決手段】  温度が異なる二室ＡおよびＢを隔てた隔壁Ｃを貫通して設置され、一方の室内Ａに臨ませた第一吸込口１と第一吹出口２とを結ぶ第一空気通路３と、他方の室内Ｂに臨ませた第二吸込口４と第二吹出口５とを結ぶ第二空気通路６とを備えたユニットと、前記第一空気通路３に設けられた第一送風ファン７と、前記第二空気通路６に設けられた第二送風ファン８と、前記第一空気通路３および前記第二空気通路６に夫々連続する平行流を備えた熱交換素子10とからなる構成にした。【選択図】  図１
2006098013.tif 000002
【特許請求の範囲】
【請求項１】
温度が異なる二室を隔てた隔壁を貫通して設置され、一方の室内に臨ませた第一吸込口と第一吹出口とを結ぶ第一空気通路と、他方の室内に臨ませた第二吸込口と第二吹出口とを結ぶ第二空気通路とを備えたユニットと、前記第一空気通路に設けられた第一送風ファンと、前記第二空気通路に設けられた第二送風ファンと、前記第一空気通路および前記第二空気通路に夫々連続する平行流を備えた熱交換素子とからなることを特徴とする空調装置。
【請求項２】
前記二室の異なる温度が、前記ユニットに設けられた加熱手段によって生じるようにしたことを特徴とする請求項１に記載の空調装置。
【請求項３】
前記加熱手段が、前記第一空気通路および、または前記第二空気通路に設けられてなることを特徴とする請求項２に記載の空調装置。
【請求項４】
前記加熱手段が、電気ヒータまたは温水ヒータなどによる加熱装置からなることを特徴とする請求項２または請求項３に記載の空調装置。
【発明の詳細な説明】
【技術分野】
【０００１】
本発明は、空調装置に関わり、より詳細には、浴室および脱衣室の二室を効率よく同時に空気調和することができるようにし、また、その装置の設置工事に関する工数およびコストを低減することができるようにした構造に関する。
【背景技術】
【０００２】
浴室と、同浴室に隣接する脱衣室とを空気調和する従来の空調装置として、浴室に隣接した脱衣室の壁面に本体を設置して省スペース化をはかり、送風ノズルを浴室の扉の開口部に挿入するときは、浴室の乾燥、暖房、衣類の乾燥を行い、収納時は脱衣室の暖房ができるようにし、また、扉の開口部を通気性のカーテン材で覆うことにより、湿気を選択的に浴室外または脱衣室を通じて室外へ排出できるようにし、また、上下左右の自動風向ルーバにより、浴室全体に温風を循環させて乾燥効率を向上することができるようにし、更に、吸気路の本体側に設けた温度センサにより異常温度上昇を防止して、湿度センサにより省エネ運転が可能となるものが開示されていた（例えば、特許文献１参照。）。
【０００３】
これにより、例えば従来技術の第一例として図４（Ａ）で示すように、換気孔を備えた浴室Ａと、同浴室Ａに隣接する脱衣室Ｂとに暖房乾燥装置ａを夫々一台づつ設置することで、二台分のコストが掛かってしまったり、二台稼動させるための消費電力等のランニングコストが掛かってしまうということがなくなり、または、従来技術の第二例として図４（Ｂ）で示すように、大掛かりな天井埋め込み型の装置ａを設置することで、ダクトｂの設置や専用の配線工事にも多大なコストが掛かってしまったり、前記浴室Ａから吸い込まれた空気が高湿度の状態で前記脱衣室Ｂに吹き出されてしまうということがなくなるといった効果を奏していた。
【０００４】
しかしながら、上記構成でなる暖房乾燥装置は、浴室と、同浴室に隣接する脱衣室とを同時に空気調和することができないことから、浴室を空気調和するには、送風ノズルを浴室の扉の開口部に挿入し、浴室に隣接する脱衣室を空気調和するには、送風ノズルを脱衣室側に戻すと共に、扉の開口部を通気性のカーテン材で覆う必要があるため、浴室と、同浴室に隣接する脱衣室とを同時に、そして同等の室温に調節したいというユーザのニーズに応えるには不充分であった。
【０００５】
また、装置の設置工事を簡便に行なえるようにすると共に、例えば送風ノズルを浴室の扉の開口部に挿入したり、脱衣室側に戻すといったわずらわしい操作を不要にすることにより、浴室と、同浴室に隣接する脱衣室との温度差がないようにし、温度差による血圧の急変でショックを起こしてしまう所謂ヒートショックを防止して、とくに高齢者などに事故が起きないようにすることが望まれていた。
【０００６】
【特許文献１】特開平６−２２９６７０公報（第１頁〜第３頁、第１図）
【発明の開示】
【発明が解決しようとする課題】
【０００７】
本発明は上記問題点に鑑み、浴室と、同浴室に隣接する脱衣室とを同時に、そして同等の室温に調節することができるようにし、また、その装置の設置工事に関する工数およびコストを低減することができるようにした空調装置を提供することを目的とする。
【課題を解決するための手段】
【０００８】
本発明は上記課題を解決するため、温度が異なる二室を隔てた隔壁を貫通して設置され、一方の室内に臨ませた第一吸込口と第一吹出口とを結ぶ第一空気通路と、他方の室内に臨ませた第二吸込口と第二吹出口とを結ぶ第二空気通路とを備えたユニットと、前記第一空気通路に設けられた第一送風ファンと、前記第二空気通路に設けられた第二送風ファンと、前記第一空気通路および前記第二空気通路に夫々連続する平行流を備えた熱交換素子とからなる構成となっている。
【０００９】
また、前記二室の異なる温度が、前記ユニットに設けられた加熱手段によって生じるようにした構成となっている。
【００１０】
また、前記加熱手段が、前記第一空気通路および、または前記第二空気通路に設けられてなる構成となっている。
【００１１】
更に、前記加熱手段が、電気ヒータまたは温水ヒータなどによる加熱装置からなる構成となっている。
【発明の効果】
【００１２】
本発明によれば、空調装置が二室を隔てた隔壁を貫通して設置される構成にしたので、例えば二室を同時に空気調和しようとすると、二室に空調装置を夫々一台づつ設置することになったり、または、大掛かりな天井埋め込み型の装置を用いなければならなくなるが、これらに比べると大幅に簡便であって、コスト的に有利な設置工事で済むことになり、また、送風ノズルを浴室の扉の開口部に挿入したり、脱衣室側に戻すといったわずらわしい操作を不要にし、平行流を備えた熱交換素子を共有して温度の異なる二室を同時に効率よく空気調和できるようになる。
【発明を実施するための最良の形態】
【００１３】
以下、本発明の実施の形態を、添付図面に基づいた実施例として詳細に説明する。
図１は本発明による空調装置の実施例１を示す説明図で、（Ａ）は第一例の設置状態を示す断面図、（Ｂ）は第二例の設置状態を示す断面図であり、図２は本発明による空調装置の実施例２を示す説明図であり、図３は本発明による空調装置の実施例３を示す説明図で、（Ａ）は第一例の設置状態を示す断面図、（Ｂ）は第二例の設置状態を示す断面図である。
【実施例１】
【００１４】
本発明による空調装置は、実施例１として図１（Ａ）および図１（Ｂ）で示すように、浴槽A'および換気孔（図示せず）を備えた浴室Ａと、同浴室Ａに隣接する脱衣室Ｂとの二室を隔てた隔壁Ｃを貫通して設置されている。
【００１５】
前記浴室Ａには、第一吸込口１および第一吹出口２を臨ませた構成になっており、これら第一吸込口１と第一吹出口２とを結ぶ第一空気通路３には、前記第一吸込口１から前記浴室Ａの空気を吸い込むための第一送風ファン７と、吸い込まれた空気を加熱するための加熱手段９とが設けられている。
【００１６】
前記加熱手段９は、電気ヒータまたは温水ヒータからなる構成となっており、例えば冬季に入浴する際、これら電気ヒータまたは温水ヒータからなる前記加熱手段９によって加熱され、前記第一吹出口２から吹き出された温風によって前記浴室Ａが快適温度に上昇し、入浴前の所謂ヒートショックを和らげることができるようになっている。
【００１７】
なお、前記加熱手段９は、前記浴室Ａ内の空気を直接に暖めるように設けられることにより、暖められた空気が前記第一吸込口１から吸い込まれるようにしてもよい。
【００１８】
前記脱衣室Ｂには、第二吸込口４および第二吹出口５を臨ませた構成になっており、これら第二吸込口４と第二吹出口５とを結ぶ第二空気通路６には、前記第二吸込口４から前記脱衣室Ｂの空気を吸い込むための第二送風ファン８が設けられている。
【００１９】
前記第一空気通路３および前記第二空気通路６には、前記第一吸込口１から吸い込まれ、前記ヒータ９によって加熱され乾燥された空気と、前記第二吸込口４から吸い込まれた空気とを熱交換するための熱交換素子10が、夫々の空気通路の一部を構成するように設けられている。
【００２０】
これにより、前記第一吸込口１から吸い込まれ、前記加熱手段９によって加熱され乾燥された空気と、前記第二吸込口４から吸い込まれた空気とが前記熱交換素子10によって熱交換されたのち、前記第一吹出口２および前記第二吹出口５から、前記浴室Ａおよび前記脱衣室Ｂに夫々吹き出され、また図示しない前記浴室Ａの排気口を通じて湿気が室外へ排出されることになり、一台の空調装置によって前記浴室Ａおよび前記脱衣室Ｂの二室を同時に空気調和できるようになる。
【００２１】
なお、前記熱交換素子10として全熱交換型素子を採用することにより、前記第一空気通路３および前記第二空気通路６を流通する空気は、前記全熱交換型素子を通過させることにより温度および湿度の全熱を交換して、前記浴室Ａおよび前記脱衣室Ｂ双方の空気調和を効率よく行なえるようになる。
【００２２】
また、前記熱交換素子10として顕熱交換型素子を採用することにより、前記浴室Ａの湿度を前記脱衣室Ｂに移すことなく（温度の）熱交換だけを行なうことによって、とくに前記脱衣室Ｂを加湿することなく快適な空気調和を行なえるようになる。
【００２３】
前記第一送風ファン７および前記第二送風ファン８は、第一例として図１（Ａ）で示すように、一つの駆動モータ11によって同時に駆動されるようにしてもよく、また第二例として図１（Ｂ）で示すように、二つの駆動モータ11によって夫々が個別に駆動されるようにしてもよい。
【００２４】
前記第一送風ファン７および前記第二送風ファン８が、単一の前記駆動モータ11によって駆動されるようにしたことにより、空調装置の構造を簡素化して、前記浴室Ａおよび前記脱衣室Ｂ双方の空気調和を効率よく行なえるようになり、二つの駆動モータ11によって夫々が個別に駆動されるようにしたことにより、前記浴室Ａおよび前記脱衣室Ｂの空気調和を同時に行なえるようにしたり、前記浴室Ａおよび前記脱衣室Ｂの何れか一方の空気調和を行なうことも可能になって便利である。
【実施例２】
【００２５】
次に、図２に基づいて、実施例２について説明する。
なお、実施例１と共通している点については、重複を避けるために詳細な説明を省略する。
【００２６】
前記加熱手段９が、前記第一空気通路３に設けられると共に、前記第二空気通路６にも設けられるようにすることによって、前記浴室Ａおよび前記脱衣室Ｂの双方を更に効果的に空気調和できるようになる。
【００２７】
この場合、例えば脱衣中には、前記第二空気通路６に設けられた電気ヒータからなる前記加熱手段９の電源のみＯＮにする一方、入浴中には、前記第一空気通路３に設けられた電気ヒータからなる前記加熱手段９の電源のみＯＮにすれば、人のいない室内に向けて照射線を無駄に照射しなくて済むようになる。
【実施例３】
【００２８】
次に、図３（Ａ）および図３（Ｂ）に基づいて、実施例３について説明する。
なお、実施例１と共通している点については、重複を避けるために詳細な説明を省略する。
【００２９】
前記第一吹出口２には、同第一吹出口２を開閉するための第一ダンパ13が設けられ、前記第二吹出口５には、同第二吹出口５を開閉するための第二ダンパ14が夫々設けられた構成になっている。
【００３０】
第一例として図３（Ａ）で示すように、前記第一吸込口１から吸い込まれた前記浴室Ａ内の空気は、前記第一空気通路３に設けられた前記加熱手段９により加熱されたのち、前記熱交換素子10を経て前記第一吹出口２に送出され、前記第二吸込口４から吸い込まれた前記脱衣室Ｂの空気は、前記第二空気通路６を流通し、前記熱交換素子10を経て前記第二吹出口６に送出される。
【００３１】
前記浴室Ａおよび前記脱衣室Ｂへの吹き出し風量を夫々調節して空気調和を行なう場合には、前記第一ダンパ13および前記第二ダンパ14によって、前記第一吹出口２および前記第二吹出口５の開放度を夫々調節すればよい。
【００３２】
また、第二例として図３（Ｂ）で示すように、前記第一空気通路３に設けられた前記第一送風ファン７と、前記第二空気通路６に設けられた前記第二送風ファン８とに夫々前記駆動モータ11が個別に連係されている場合、前記第一送風ファン７と前記第二送風ファン８とを駆動すると共に、前記浴室Ａおよび前記脱衣室Ｂの空気調和を行なう際、前記第一吹出口２を前記第一ダンパ13が開放し、前記第二吹出口５を前記第二ダンパ14が開放すればよい。
【００３３】
前記浴室Ａおよび前記脱衣室Ｂへの吹き出し風量を夫々調節して空気調和を行なう場合には、前記駆動モータ11の一方の回転数を変えるようにしたり、前記第一ダンパ13および前記第二ダンパ14によって、前記第一吹出口２および前記第二吹出口５の開放度を夫々調節すればよい。
【図面の簡単な説明】
【００３４】
【図１】本発明による空調装置の実施例１を示す説明図で、（Ａ）は第一例の設置状態を示す断面図であり、（Ｂ）は第二例の設置状態を示す断面図である。
【図２】本発明による空調装置の実施例２を示す説明図である。
【図３】本発明による空調装置の実施例３を示す説明図で、（Ａ）は第一例の設置状態を示す断面図であり、（Ｂ）は第二例の設置状態を示す断面図である。
【図４】従来技術による空調装置の説明図で、（Ａ）は第一例の設置状態を示す断面図であり、（Ｂ）は第二例の設置状態を示す断面図である。
【符号の説明】
【００３５】
Ａ  浴室
A'  浴槽
Ｂ  脱衣室
Ｃ  隔壁
１  第一吸込口
２  第一吹出口
３  第一空気通路
４  第二吸込口
５  第二吹出口
６  第二空気通路
７  第一送風ファン
８  第二送風ファン
９  加熱手段
10  熱交換素子
11  駆動モータ
13  第一ダンパ
14  第二ダンパ
【図１】
2006098013.tif 000003
【図２】
2006098013.tif 000004
【図３】
2006098013.tif 000005
【図４】
2006098013.tif 000006